(57)【要約】      （修正有）【課題】自力でシュータなどの非常脱出器具から自力で脱出できない者を安全に脱出させることができる脱出用保護具を提供する。【解決手段】被保護者２００が寝た状態で下方に配置される人体保持部材１１０を備える脱出用保護具の人体保持部材１１０の底面に折れ曲がり難くかつ割れ難く、さらに滑走移動のために滑り抵抗の小さい素材からなる板材３００を設ける。脱出用保護具内に被保護者２００を収容し、板材３００の特性を利用して階段や、段差や凹凸のある廊下や通路を滑らせながら移動させる。たとえ介助者が一人でも環部を利用して保持しながら簡単かつ容易に移動させ、脱出時間の短縮や、移動の困難性を克服できる。【選択図】図３
2010193927.tif 000002
【特許請求の範囲】
【請求項１】
被保護者が寝た状態で下方に配置される人体保持部材と、前記人体保持材の下半身側に設けられ被保護者の少なくとも下半身を挿入可能な開口部を備え、被保護者の下半身を包み込む下半身保護部材と、前記下半身保護部材の長手方向に沿って下半身保護部材の開口に到るまで略直線線状に設けられ下半身保護部材を２分する線ファスナ部と、前記人体保持部に設けられ、被保護者を人体保持部に固定する固定部材とを備え、前記人体保持部材の底面に、折れ曲がり難くかつ割れ難い滑走移動用の板材を設けてなることを特徴とする脱出用保護具。
【請求項２】
前記滑走移動用の板材の少なくとも底面が、滑り抵抗の小さい素材で形成してあることを特徴とする請求項１の脱出用保護具。
【請求項３】
被保護者が寝た状態で下方に配置される人体保持部材と、前記人体保持材の下半身側に設けられ被保護者の少なくとも下半身を挿入可能な開口部を備え、被保護者の下半身を包み込む下半身保護部材と、前記下半身保護部材の長手方向に沿って下半身保護部材の開口に到るまで略直線線状に設けられ下半身保護部材を２分する線ファスナ部と、前記人体保持部に設けられ、被保護者を人体保持部に固定する固定部材とを備え、前記人体保持部材の内部に、折れ曲がり難くかつ割れ難い滑走移動用の板材を設けてなることを特徴とする脱出用保護具。
【請求項４】
前記人体保持部材の底面を、滑り抵抗の小さい素材で形成してなることを特徴とする請求項３の脱出用保護具。
【請求項５】
前記滑り抵抗が少ない素材が合成繊維材であることを特徴とする請求項２または４の脱出用保護具。
【請求項６】
少なくとも前記人体保持部材を膨張させ得る袋体として形成してなることを特徴とする請求項１から４のいずれかの脱出用保護具。
【請求項７】
前記人体保持部材の上半身側には、被保護者の頭部、上半身を覆い被せることができる上半身覆い部を備えてなることを特徴とする請求項１から６のいずれかの脱出用保護具。
【請求項８】
前記人体保持部材には、前記下半身保護部材で被保護者の上半身を覆った状態で被保護者を前記人体保持部材に固定するベルト部材を備えていることを特徴とする請求項１ないし７のいずれかの脱出用保護具。
【請求項９】
前記固定部材を、弾性体で形成してなることを特徴とする請求項１ないし８のいずれかの脱出用保護具。
【請求項１０】
前記人体保持部材の外周縁部に把持用の環部を設けてなることを特徴とする請求項１ないし９のいずれかの脱出用保護具。 
【発明の詳細な説明】
【技術分野】
【０００１】
本発明は、脱出用保護具に関する。
【背景技術】
【０００２】
火災発生等の非常時に病院や療養施設内から人、特に病人、老齢者、身体不自由者等を外へ脱出させるに際しては、非常脱出器具として滑り台状のシュータが用いられている。そのため、避難の際には、たとえ脱出経路に階段などが存在していても、身体が不自由な者でもシュータまで移動させ、シュータの上に乗せ、自重でシュータの斜面に沿って滑り降り、シュータ下端から外部へ脱出するという行動を取らせることが必要である。
【先行技術文献】
【特許文献】
【０００３】
【特許文献１】特開2006-129922号公報
【発明の概要】
【発明が解決しようとする課題】
【０００４】
しかしながら、避難者が病人、老齢者、障害者である場合には、自力でシュータまで移動することができない場合があったり、シュータまで移動したとしても、滑り降りる際に自力で姿勢を維持できない避難者が多かったり、意識がない状態の避難者や身体の不自由な避難者の場合には、シュータを安全に降下できなかったり、自力でシュータから脱出できないことがある。また病院や療養施設には螺旋階段が多く用いられていたりするため、脱出に時間が掛かるだけでなく、脱出のための介添え者が複数必要になったりするという問題があった。  
【０００５】
そのため近年では、たとえ介添え者が一人でも脱出までの時間の短縮を一層短縮し、安全に避難させ得るようにすることが目標付けられるようになってきており、本願発明者の知るところでは、従来公知の器具、方法、手段ではこの目的に対応できていなかった。  
【０００６】
そこで本発明は、自力でシュータなどの非常脱出器具から自力で脱出できない者でも安全にかつ素早く脱出させることができ、脱出までの介助負担も小さくて済む脱出用保護具を提供することを目的とする。
【課題を解決するための手段】
【０００７】
本発明の請求項１に係る脱出用保護具は、前記目的を達成するために、被保護者が寝た状態で下方に配置される人体保持部材と、前記人体保持材の下半身側に設けられ被保護者の少なくとも下半身を挿入可能な開口部を備え、被保護者の下半身を包み込む下半身保護部材と、前記下半身保護部材の長手方向に沿って下半身保護部材の開口に到るまで略直線線状に設けられ下半身保護部材を２分する線ファスナ部と、前記人体保持部に設けられ、被保護者を人体保持部に固定する固定部材とを備え、前記人体保持部材の底面に、折れ曲がり難くかつ割れ難い滑走移動用の板材を設けてなることを特徴とする。  
【０００８】
同請求項２に係るものは、請求項１の脱出用保護具において、前記滑走移動用の板材の少なくとも底面が、滑り抵抗の小さい素材で形成してあることを特徴とする。  
【０００９】
同請求項３に係るものは、被保護者が寝た状態で下方に配置される人体保持部材と、前記人体保持材の下半身側に設けられ被保護者の少なくとも下半身を挿入可能な開口部を備え、被保護者の下半身を包み込む下半身保護部材と、前記下半身保護部材の長手方向に沿って下半身保護部材の開口に到るまで略直線線状に設けられ下半身保護部材を２分する線ファスナ部と、前記人体保持部に設けられ、被保護者を人体保持部に固定する固定部材とを備え、前記人体保持部材の内部に、折れ曲がり難くかつ割れ難い滑走移動用の板材を設けてなることを特徴とする。  
【００１０】
同請求項４に係るものは、請求項３の脱出用保護具において、前記人体保持部材の底面を、滑り抵抗の小さい素材で形成してなることを特徴とする。  
【００１１】
同請求項５に係るものは、請求項２または４の脱出用保護具において、前記滑り抵抗が少ない素材が合成繊維材であることを特徴とする。  
【００１２】
同請求項６に係るものは、請求項１から４のいずれかの脱出用保護具において、少なくとも前記人体保持部材を膨張させ得る袋体として形成してなることを特徴とする。  
【００１３】
同請求項７に係るものは、請求項１から６のいずれかの脱出用保護具において、前記人体保持部材の上半身側には、被保護者の頭部、上半身を覆い被せることができる上半身覆い部を備えてなることを特徴とする。  
【００１４】
同請求項８に係るものは、請求項１ないし７のいずれかの脱出用保護具において、前記人体保持部材には、前記下半身保護部材で被保護者の上半身を覆った状態で被保護者を前記人体保持部材に固定するベルト部材を備えていることを特徴とする。  
【００１５】
同請求項９に係るものは、請求項１ないし８のいずれかの脱出用保護具において、前記固定部材を、弾性体で形成してなることを特徴とする。  
【００１６】
同請求項１０に係るものは、請求項１ないし９のいずれかの脱出用保護具において、前記人体保持部材の外周縁部に把持用の環部を設けてなることを特徴とする。
【発明の効果】
【００１７】
本発明によれば、人体保持部材に被保護者を寝かせ、ファスナ部で分割した下半身保護部材内に下半身を入れてファスナ部を閉め、固定部材で被保護者を人体保持部に固定し、滑走移動用の板材を用いて移動させ得るので、シュータなどの非常脱出器具へ被保護者を素早く移動させることができるようになり、脱出までに要する時間を短縮しかつ安全に脱出させることができ、さらには脱出までの介助者の負担も小さくて済むようになるという効果を奏する。
【発明を実施するための最良の形態】
【００１８】
以下本発明を実施するための最良の形態を、図面に基づいて説明する。図１は本発明の実施の形態に係る脱出用保護具の構成を示す平面図、図２は図１に示す脱出用保護具の構成を示す平面図、図３は図１に示す脱出用保護具の使用状態を示す図であり、（ａ）は正面図、（ｂ）は一部省略側面図、図４は図１に示す脱出用保護具の他の使用状態を示す図であり、（ａ）は正面図、（ｂ）は一部省略側面図である。  
【００１９】
本発明に係る脱出用保護具１００は帆布（合成樹脂等で通気性をなくしたものが好ましい）や合成樹脂製の布材で構成され、図１ないし図４に示すように、被保護者２００が寝た状態で下方に配置される人体保持部材１１０と、前記人体保持材の下半身側に設けられ被保護者の下半身を挿入可能な開口部１２１を備え、被保護者の下半身を包み込む下半身保護部材１２０と、前記下半身保護部材の長手方向に沿って下半身保護部材の開口に到るまで略直線線状に設けられ下半身保護部材を２分するジッパー等の線ファスナ部１３０と、前記人体保持部材１１０に設けられ、被保護者を人体保持部に固定するゴムなどの弾性材から形成された固定部材１４０とを備える。固定部材１４０は面ファスナ１４１でその固定寸法を調整することができる。この固定部材１４０は被保護者２００の腋下部を脱出用保護具１００に固定するものであり、シュータ移動時やシュータからの脱出時に被保護者２００の脚が被保護者２００の自重で折れ曲がるのを防止することができる。被保護者２００の脚が折れ曲がるとシュータ内で被保護者２００が引っ掛かり脱出が困難になる。本固定部材１４０により、係る自体を防止している。  
【００２０】
本例では脱出用保護具１００の人体保持部材１１０の上半身側には、被保護者２００の頭部２１０、上半身２２０を覆い被せることができる上半身覆い部１５０を備えて構成されている。上半身覆い部１５０は、人体保持部材１１０と上半身覆い部１５０との周囲に設けられたドットファスナ１５１で取付取り外しが可能である。また、図３に示すように、被保護者２００の頭部２１０の下部に配置する事や、図４に示すように被保護者２００の頭部２１０を覆うように配置することができる。  
【００２１】
また、本例の人体保持部材１１０は、少なくともシュータ等と接触する下側表面１１１に滑り抵抗が少ない、ポリイミド繊維、フッ素樹脂繊維等の合成繊維材を貼付しておくことができる。  
【００２２】
また、前記人体保持部材１１０には、下半身保護部材で被保護者の上半身を覆った状態で被保護者を人体保持部材に固定する２本のベルト部材１６１，１６２を備えており、これらのベルト部材１６１，１６２はバックル１６３，１６４で寸法調整をすることができる。本ベルト部材１６１，１６２により、保護者２００を脱出用保護具１００と一体になるよう固定するものであり、上記固定部材１４０と共にシュータ移動時やシュータからの脱出時に被保護者２００の脚が被保護者２００の自重で折れ曲がるのを防止することができる。  
【００２３】
さらに、本例では脱出用保護具１００には、その周囲に把持用の環部１７１，１７２，１７３，１７４，１７５，１７６を設けている。この環部１７１，１７２，１７３，１７４，１７５，１７６は、図２に示すように、延長形成して人体保持部材１１０に渡しかけ縫合させた環状帯部材１８１、１８２、１８３の端部で形成している。  
【００２４】
また、環部１７１〜１７６には面ファスナを設け、不使用時に人体保持部材１１０または下半身保護部材１２０に貼り付けておくことができる。  
【００２５】
また図３、図４に示すように、脱出用保護具１００の人体保持部材１１０の底面に折れ曲がり難くかつ割れ難く、さらに滑走移動のために滑り抵抗の小さい素材からなる板材３００を設けた構成を示す断面図である。脱出用保護具１００のほぼ全体あるいは下半身保護部材１２０を含めたほぼ全体を合成樹脂性の布材を袋体とした構成とし、通常はエアを抜いて保護具全体を縮小させておき、必要なときにエアを吹き込んで膨張させるようにすることができる。この構成とする場合、エアの注入には救命器具において用いられるような膨張装置を採用できる。  
【００２６】
なお、板材３００として折れ曲がり難くかつ割れ難いものを用いるのは、階段の角部などに当たって被保護者がダメージを受けることを防ぐ目的もある。例えば、脱出用保護具１００に被保護者を収容し、階段を使って階下へ一人の作業者で降ろそうとする場合、被保護者の頭部を上に、足を下側にし、頭部近傍に位置する環部１７５等を把持してゆっくりと滑り降ろすようにすると、被保護者の足が階段の角部などに当たった衝撃でダメージを受けることが考えられる。そのような点などを考慮すると、板材３００として折れ曲がり難くかつ割れ難いものであれば上述のような搬送を行っても足やその周辺の身体への衝撃を緩和できるので好ましい。また被保護者の頭部を下に、足を上側にして降ろさざるを得ないような状況も生じると考えられるが、その場合には頭部を頭部するために頭部側を持ち上げるように環部１７５等を把持することになるが、その場合には上述のように板材３００が折れ曲がり難くかつ割れ難いものであることが衝撃での被保護者へのダメージを減らす上で大変好ましいと言える。  
【００２７】
なお図３、図４の構成に代えて、図５に示すように、滑走移動用の板材３０１を人体保持部材１１０の内部に入れて設けてもよい。板材３０１には、やはり折れ曲がり難くかつ割れ難いものを選定する。ただし、滑走移動のために滑り抵抗の小さい素材を選定する必要はないが、人体保持部材１１０の少なくとも底面を、滑り抵抗の小さい合成繊維材等で構成する。この例の場合も、脱出用保護具１００のほぼ全体あるいは下半身保護部材１２０を含めたほぼ全体を、図３、図４の例について説明したのと同様に膨・縮させ得る構成とすることがで
きる。  
【００２８】
図３、４、図５のいずれの構成でも、脱出用保護具１００内に被保護者２００を収容し、板材３００、３０１の特性を利用して階段や、段差や凹凸のある廊下や通路を滑らせながら移動させる。いずれの構成例でも滑らせながら移動させることが容易に行えるので、たとえ介助者が一人でも環部１７１〜１７６のいずれかを利用して保持しながら簡単かつ容易に移動させることができ、脱出までの時間短縮や、移動の困難性を克服できる。特に、螺旋階段のように従来では持ち上げるなどして移動させるしかなかったような場所でも滑らせながら移動させることができるので、大幅な脱出時間の短縮が図れ、また被保護者２００に掛かる負担をも大きく軽減させることができる。  
【００２９】
なお、上記脱出用保護具が適用される脱出器具は滑り台式の脱出器具を滑り降りる際に用いるだけでなく、廊下、階段、ジグザグ式やスパイラル式等の脱出経路、避難経路に存在する多くの障害となり得る構造体上でも使用できる。もちろん、脱出器具として船舶、航空機、建物その他どのようなものに配置して使用してもよい。
【図面の簡単な説明】
【００３０】
【図１】本発明の実施の形態に係る脱出用保護具の構成を示す平面図
【図２】図１に示す脱出用保護具の構成を示す平面図
【図３】図１に示す脱出用保護具の使用状態を示す図であり、（ａ）は正面図、（ｂ）は一部省略側面図
【図４】図１に示す脱出用保護具の他の使用状態を示す図であり、（ａ）は正面図、（ｂ）は一部省略側面図
【図５】脱出用保護具に滑走移動のための板材を設けた他の例を示す断面図
【符号の説明】
【００３１】
１００：脱出用保護具、１１０：人体保持部材、１１１：下側表面、１２０：下半身保護部材、１２１：開口部、１３０：線ファスナ部、１４０：固定部材、１４１：面ファスナ、１５０：上半身覆い部、１５１：ドットファスナ、１６１，１６２：ベルト部材、１６３，１６４：バックル、１７１，１７２，１７３，１７４，１７５，１７６：環部、１８１、１８２、１８３：帯部材、２００：被保護者、２１０：頭部、２２０：上半身 
【図１】
2010193927.tif 000003
【図２】
2010193927.tif 000004
【図３】
2010193927.tif 000005
【図４】
2010193927.tif 000006
【図５】
2010193927.tif 000007